【手続補正書】
【提出日】平成18年5月2日(2006.5.2)
【手続補正１】
【補正対象書類名】特許請求の範囲
【補正対象項目名】全文
【補正方法】変更
【補正の内容】
【特許請求の範囲】
【請求項１】
無線ＬＡＮと移動通信ネットワークとの間の相互接続をサポートする方法であって、
移動通信ネットワークは、無線ネットワーク・コントローラに結合されるトランシーバを含む無線アクセス・ネットワークを有し、無線ネットワーク・コントローラはコア・ネットワークに結合されており、
相互接続の無線ＬＡＮ側に配置される相互接続機能を与えるステップと、
移動通信ネットワークに関連する補助無線ネットワーク・コントローラとして相互接続機能を使用することにより、無線ＬＡＮを移動通信ネットワークに接続するステップと、から成る、前記方法。
【請求項２】
移動通信ネットワークが汎用移動通信システム・ネットワークで構成され、相互接続機能がドリフト無線ネットワーク・コントローラとして使用される、請求項１記載の方法。
【請求項３】
前記接続するステップで、ユーザ・プレーン・インタフェースを介して無線ＬＡＮを移動通信ネットワークに接続する、請求項２記載の方法。
【請求項４】
前記移動通信ネットワークがサービング無線ネットワーク・コントローラを有し、ユーザ・プレーン・インタフェースが相互接続機能とサービング無線ネットワーク・コントローラの間に配置される、請求項２記載の方法。
【請求項５】
前記接続するステップが、相互接続機能とサービング無線ネットワーク・コントローラとの間にＩｕｒインタフェースを設定するステップから成る、請求項４記載の方法。
【請求項６】
データをＩｕｒインタフェースを介してサービング無線ネットワーク・コントローラから無線ＬＡＮに配分するステップを含む、請求項５記載の方法。
【請求項７】
前記接続するステップで、コントロール・プレーンを移動通信ネットワークと無線ＬＡＮの間で分割し、且つユーザ・プレーンを移動通信ネットワークと無線ＬＡＮの間で分割する、請求項２記載の方法。
【請求項８】
前記接続するステップで、無線リンク・セットアップの要求をサービング無線ネットワーク・コントローラから相互接続機能に送信するステップを含む、請求項７記載の方法。
【請求項９】
複数のサービスの品質パラメータのうち少なくとも１つと１タイプの専用／共用トランスポート・チャンネルを含む無線ネットワーク・サブシステム・アプリケーション・パート・メッセージを使用して、前記送信するステップが実行される、請求項８記載の方法。
【請求項１０】
相互接続機能によりコール承認管理を実行するステップを含む、請求項４記載の方法。
【請求項１１】
相互接続機能により割り当てられる１タイプのサービス、サービング無線ネットワーク・コントローラによりリクエストされる１タイプの専用／共用トランスポート・チャンネル、およびユーザ端末が属するアクセス・ポイントで利用できる無線ＬＡＮリソースのうちの少なくとも１つに基づいて前記ステップが実行される、請求項１０記載の方法。
【請求項１２】
前記移動通信ネットワークが、サービング汎用パケット無線サービス・サポート・ノード、ゲートウエイ汎用パケット無線サービス・サポート・ノード、およびノードＢを含む、請求項４記載の方法において、更に、
ユーザ端末から、相互接続機能、サービング無線ネットワーク・コントローラ、サービング汎用パケット無線サービス・サポート・ノード、ゲートウエイ汎用パケット無線サービス・サポート・ノードに至るデータ・パスを形成するステップと、
ユーザ端末から、ノードＢ、サービング無線ネットワーク・コントローラ、サービング汎用パケット無線サービス・サポート・ノード、ゲートウエイ汎用パケット無線サービス・サポート・ノードに至るコントロール・パスを形成するステップと、から成る、請求項４記載の方法。
【請求項１３】
移動通信ネットワークのデータ・チャンネル上で活動が停止したとき、移動通信ネットワークのデータ・ベアラを解放するステップを含む、請求項２記載の方法。
【請求項１４】
無線ＬＡＮと移動通信ネットワークとの間の相互接続をサポートする装置であって、前記相互接続は、相互接続の無線ＬＡＮ側に配置される相互接続機能により容易に行われ、
移動通信ネットワークのためにドリフト無線ネットワーク・コントローラとして相互接続機能を使用し、移動通信ネットワークに無線ＬＡＮを接続する手段を含む、前記装置。
【請求項１５】
前記接続する手段が、ユーザ・プレーン・インタフェースを介して移動通信ネットワークに無線ＬＡＮを接続する、請求項１４記載の装置。
【請求項１６】
前記移動通信ネットワークがサービング無線ネットワーク・コントローラを有し、ユーザ・プレーン・インタフェースが相互接続機能とサービング無線ネットワーク・コントローラの間に配置される、請求項１４記載の装置。
【請求項１７】
前記接続する手段が、相互接続機能とサービング無線ネットワーク・コントローラとの間にＩｕｒインタフェースを設定する手段を含む、請求項１６記載の装置。
【請求項１８】
Ｉｕｒインタフェースを介してデータをサービング無線ネットワーク・コントローラから無線ＬＡＮへ配分する手段を含む、請求項１７記載の装置。
【請求項１９】
前記接続する手段が、コントロール・プレーンを移動通信ネットワークと無線ＬＡＮの間で分割すると共に、ユーザ・プレーンを移動通信ネットワークと無線ＬＡＮの間で分割する、請求項１４記載の装置。
【請求項２０】
前記接続する手段に、無線リンク設定のリクエストをサービング無線ネットワーク・コントローラから相互接続機能に送信する手段を含む、請求項１９記載の装置。
【請求項２１】
複数のサービスの品質パラメータのうちの少なくとも１つおよび１タイプの専用／共用トランスポート・チャンネルを含む、無線ネットワーク・サブシステム・アプリケーション・パート・メッセージを前記送信手段が使用する、請求項２０記載の装置。
【請求項２２】
相互接続機能によりコール承認管理を実行する手段を含む、請求項１６記載の装置。
【請求項２３】
相互接続機能により割り当てられるサービス、サービング無線ネットワーク・コントローラによりリクエストされる専用／共用トランスポート・チャンネル、およびユーザ端末が属するアクセス・ポイントで利用できる無線ＬＡＮリソースのうち少なくとも１つを、コール承認管理を実行する前記手段が使用する、請求項２２記載の装置。
【請求項２４】
移動通信ネットワークが、サービング汎用パケット無線サービス・サポート・ノード、ゲートウエイ汎用パケット無線サービス・サポート・ノード、およびノードＢを含み、
ユーザ端末から、相互接続装置、サービング無線ネットワーク・コントローラ、サービング汎用パケット無線サービス・サポート・ノード、ゲートウエイ汎用パケット無線サービス・サポート・ノードに至るデータ・パスを形成する手段と、
ユーザ端末から、ノードＢ、サービング無線ネットワーク・コントローラ、サービング汎用パケット無線サービス・サポート・ノード、ゲートウエイ汎用パケット無線サービス・サポート・ノードに至るコントロール・パスを形成する手段とを、含む、請求項１６記載の装置。
【請求項２５】
移動通信ネットワークのデータ・チャンネル上で活動が停止すると、移動通信ネットワークのデータ・ベアラを解放する手段を含む、請求項１４記載の装置。
【手続補正２】
【補正対象書類名】明細書
【補正対象項目名】発明の名称
【補正方法】変更
【補正の内容】
【発明の名称】無線ＬＡＮと移動通信ネットワークとの間の相互接続をサポートする方法並びに装置